(57)【要約】      （修正有）【課題】複数の機能を備えた、持ち運びが容易な多機能工具を提供する。【解決手段】バール本体部２と、前記バール本体部の一端部に第一係止手段を介して着脱自在に取り付けられるスコップ頭部６と、前記バール本体部の他端部に回転自在に連結し、バール本体部との回転角度を決める為の第二係止手段と第三係止手段をもち、固定される把手本体部７と、前記把手本体部に形成された握り部とは把手とツルハシ剣先部８からなることを特徴とする多機能工具１。【選択図】図１
2015058495.tif 000002
【特許請求の範囲】
【請求項１】
バール本体部と、前記バール本体部の一端部に第一係止手段を介して着脱自在に取り付けられるスコップ頭部と、前記バール本体部の他端部に回転自在に連結し、バール本体部との回転角度を決める為の第二係止手段と第三係止手段をもち、固定される把手本体部と、前記把手本体部に形成された握り部と把手とツルハシ剣先部からなることを特徴とする多機能工具。
【請求項２】
前記第二係止手段は前記バール本体部と前記把手本体部からなり、前記バール本体部に回転自在に取付けられた前記把手本体部を、前記バール本体部と平行に固定できることを特徴とする請求項１に記載の多機能工具。
【請求項３】
前記第三係止手段は前記バール本体部と前記把手本体部からなり、前記バール本体部に回転自在に取り付けられ前記把手本体部を、前記バール本体部と直交に固定できることを特徴とする請求項１に記載の多機能工具。
【請求項４】
前記バール本体部の一端部に設けられた取付部と前記スコップ頭部の一端部に設けられた取付部に、肩掛けベルトを着脱自在に取り付けできることを特徴とする請求項１に記載の多機能工具。
【発明の詳細な説明】
【技術分野】
【０００１】
本発明は、地震や局地的豪雨などの災害によって倒壊した家屋からの人命救助作業及び瓦礫除去作業に使用する多機能工具に関するものである。
【背景技術】
【０００２】
従来、地震や局地的豪雨などの災害によって、倒壊した家屋からの人命救助作業及び瓦礫除去作業はもっぱら、バール等の手工具で行われている。
【先行技術文献】
【特許文献】
【０００３】
【特許文献１】実用新案登録第３１０５５２６号公報
【発明の概要】
【発明が解決しようとする課題】
【０００４】
しかしながら、人命救助作業や瓦礫除去作業でバールを使用するまでには、土砂や細かい瓦礫等を除去しなければならず、バール以外にもスコップ、ツルハシ等の手工具を必要とするため、実際には複数の手工具を携帯し状況に応じて使用する必要があった。
また、大規模災害の人命救助作業においては、徒歩・人力運搬を基本に手工具類を整備する必要があり、複数の手工具を同時に携帯するには限界があった。
【０００５】
本発明は、このような従来の問題を解決しようとするもので、複数の手工具の機能を一体化した簡便に持ち運びが可能な多機能工具の提供を目的としたものである。
【課題を解決するための手段】
【０００６】
本発明は、バール本体部と、前記バール本体部の一端部から、第一係止手段を介して着脱自在に取り付けられるスコップ頭部と、前記バール本体部の他端部に回転自在に連結し、バール本体部との回転角度を決める為の第二係止手段、第三係止手段をもち、固定される把手本体部と、前記把手本体部に形成された握り部と把手とツルハシ剣先部からなる多機能工具を提供する事により上記課題を解決したものである。
【０００７】
また、前記第二係止手段は前記バール本体部と前記把手本体部からなり、前記バール本体部に回転自在に取付けられた前記把手本体部を、前記バール本体部と平行に固定できる。
【０００８】
また、前記第三係止手段は前記バール本体部と前記把手本体部からなり、前記バール本体部に回転自在に取り付けられ前記把手本体部を、前記バール本体部と直交に固定できる。
【０００９】
更に、前記バール本体部の一端部に設けられた取付部と前記スコップ頭部の一端部に設けられた取付部に、肩掛けベルトを着脱自在に取り付けできる。
【発明の効果】
【００１０】
本発明はバール本体部に第一係止手段を介して着脱自在なスコップ頭部を取り付け、バール本体部と把手本体部を第二係止手段を介して固定することで、第一形態となり、連結状態で通常のスコップとして使用することができる。また、第一形態からスコップ頭部を取外すことで、第二形態となり、独立のバールとして使用することができる。  また、把手本体部の他端部にはツルハシ部が形成され、バール本体部と９０度回転させ、第三係止手段を介して固定することで、第三形態となり、通常のツルハシとして使用することができる。更に、スコップ頭部とバール本体部に形成された取付部に肩掛けベルトを着脱自在に取り付けることで、人力運搬での持ち運びの利便性を向上した。
【図面の簡単な説明】
【００１１】
【図１】本発明に係る多機能工具の第一形態を示す斜視図である。
【図２】図１に示したＡ部の拡大分解斜視図である。
【図３】図１に示したＢ部の拡大分解斜視図である。
【図４】本発明に係る多機能工具の第二形態を示す斜視図である。
【図５】本発明に係る多機能工具の第三形態を示す斜視図である。
【図６】図５に示したＣ部の拡大分解斜視図である。
【図７】本発明に係る多機能工具の持ち運び形状を示した斜視図である。
【発明を実施するための形態】
【００１２】
以下に図面を参照として、本発明に係る多機能工具を説明する。図１は本発明に係る多機能工具の第一形態を示す斜視図である。図１の多機能工具１はバール本体部２と、バール本体部２の一端部に着脱自在に取付られるスコップ頭部６と、バール本体部２の他端部に、回転自在に取り付けられた把手本体部７と、把手本体部７の下端に設けられたツルハシ剣先部８から構成されている。
【００１３】
前記バール本体部２は、円筒柄部３の一端部に結合されたバール平爪部４と、円筒柄部３の他端部に設けられたホルダー部５から形成される。
【００１４】
以下に図２を参照として、第一係止手段を説明する。図２は図１に示したＡ部の拡大分解斜視図である。図２に示すように、スコップ頭部６は上端に支え部９を介してスコップ差込筒部１０を形成しており、スコップ差込筒部１０の他端にはスコップ係止部１２ａ、１２ｂとその間に溝部１１が設けられ、円筒柄部３の一端部から外嵌することで、円筒柄部３に設けられたスコップ係止部１３が溝部１１に嵌入し、スコップ係止部１２ａ、１２ｂ間にスコップ係止部１３を配置して、スコップ係止部１２ａ、１２ｂに設けられた係止孔１４ａ、１４ｂと、スコップ係止部１３に設けられた係止孔１５の孔位置を合わせて、係止ピン１６を挿入し止め具１７で固定されることによって第一係止手段が構成される。
【００１５】
以下に図３を参照として、第二係止手段を説明する。図３は図１に示したＢ部の拡大分解斜視図である。図３に示すように、把手本体部７は握り部１８と、握り部１８には把手１９が形成されており、把手１９の下端には把手連結部２０ａ、２０ｂが設けられ、ホルダー部５に設けられた把手連結ホルダー２１ａ、２１ｂを把手連結部２０ａ、２０ｂ間に配置して把手連結部２０ａ、２０ｂに設けられた軸孔２２ａ、２２ｂと把手連結ホルダー部２１ａ、２１ｂに設けられた軸孔２３ａ、２３ｂの孔位置を合わせて回転軸ピン２４を挿入することによって、握手本体部７が回転可能に連結され、把手連結部２０ａ、２０ｂに設けられた係止孔２５ａ、２５ｂと把手連結ホルダー部２１ａ、２２ｂに設けられた係止孔２６ａ、２６ｂの孔位置を合わせて、係止ピン２７を挿入し止め具２８で固定されることによって第二係止手段が構成される。
【００１６】
図４は本発明に係る多機能工具の第二形態を示す斜視図である。図４に示すように、第二形態は第一形態において、バール本体部２からスコップ頭部６が取り外され、第一形態と同様にバール本体部２の他端部に、回転自在に取り付けられた把手本体部７から構成されている。また、バール本体部２と把手本体部７は第一形態と同様に第二係止手段で固定されることによって構成される。
【００１７】
図５は本発明に係る多機能工具の第三形態を示す斜視図である。図５に示すように、第三形態は第一形態において、バール本体部２からスコップ頭部６が取り外され、第一形態と同様にバール本体部２の他端部に、回転自在に取り付けられた把手本体部７から構成されている。                                                                
【００１８】
以下に図面を参照として、第三係止手段を説明する。図６は図５に示したＣ部の拡大分解斜視図である。第三形態は、第一形態と同様に把手本体部７はホルダー部５と回転自在に連結され、第三形態では、把手本体部７の向きを９０度変えるために、前記把手連結部２０ａ、２０ｂに設けられた係止孔２５ａ、２５ｂと連結ホルダー部２１ａ、２２ｂに設けられた係止孔２９ａ、２９ｂの孔位置を合わせて、係止ピン２７を挿入し止め具２８で固定されることによって第三係止手段が構成される。
【００１９】
図７は本発明に係る多機能工具の持ち運び形状を示した斜視図である。図７に示す様に第一形態において、支え部９には取付部３０とホルダー部５には取付部３１が設けられ、肩掛けベルト３２に設けられたバックル３３ａ，３３ｂと着脱自在に取り付けられる。
【符号の説明】
【００２０】
１  多機能工具  
２  バール本体部  
３  円筒柄部  
４  バール平爪部  
５  ホルダー部  
６  スコップ頭部  
７  把手本体部  
８  ツルハシ剣先部  
９  支え部  
１０  スコップ差込筒部  
１１  溝部  
１２ａ  １２ｂ  スコップ係止部  
１３  スコップ係止部  
１４ａ  １４ｂ  係止孔  
１５  係止孔  
１６  係止ピン  
１７  止め具  
１８  握り部  
１９  把手  
２０ａ  ２０ｂ  把手連結部  
２１ａ  ２１ｂ  把手連結ホルダー  
２２ａ  ２２ｂ  軸孔  
２３ａ  ２３ｂ  軸孔  
２４  回転軸ピン  
２５ａ  ２５ｂ  係止孔  
２６ａ  ２６ｂ  係止孔  
２７  係止ピン  
２８  止め具  
２９ａ  ２９ｂ  係止孔  
３０  ３１  取付部  
３２  肩掛けベルト  
３３ａ  ３３ｂ  バックル
【図１】
2015058495.tif 000003
【図２】
2015058495.tif 000004
【図３】
2015058495.tif 000005
【図４】
2015058495.tif 000006
【図５】
2015058495.tif 000007
【図６】
2015058495.tif 000008
【図７】
2015058495.tif 000009